(57)【要約】【課題】集合樋上を自走中のパチンコ玉を洗浄するとともに、パチンコ玉及びパチンコ玉により濡れた研磨布の乾燥手段を備えたパチンコ玉の揚送研磨装置を提供する。【解決手段】この揚送研磨装置は、研磨機本体１７にパチンコ玉洗浄手段１３及び乾燥手段５１を備え、パチンコ玉洗浄手段によりパチンコ玉をきれいにするとともに、乾燥手段５１によりパチンコ玉Ｂ及び研磨布２１を乾燥させるようにしたものである。パチンコ玉は洗浄水により濡れるが、集中樋１１上で水切りをしてから研磨機本体内に供給されるため、水分の少ないものとなっている。しかし、このパチンコ玉は揚送中に研磨布１５と接触して研磨布に湿気を与えるが、この湿気を乾燥手段５１で除去するようにしてある。【選択図】  図２
2004194769.tif 000002
【特許請求の範囲】
【請求項１】
研磨機本体と、洗浄手段と、乾燥手段とを備えた揚送研磨装置であり、
上記揚送研磨機は、揚送塔の上下に設けてあるプーリーに掛け回された無端ベルトと、上記揚送塔に開閉自在に取り付けてある扉の内側に装着された研磨布とを備え、
上記洗浄手段は、上記研磨機本体の近傍に設けてある洗浄水槽と、上記研磨機本体にパチンコ玉を供給する集合樋上を自走中のパチンコ玉に洗浄水を噴射する洗浄ノズルとを備え、
上記乾燥手段は、上記研磨機本体の近傍に設けてある温風発生機と、上記研磨機本体内で上記研磨布に温風を供給可能に設けてある温風ノズルとを備え、
上記洗浄手段によって洗浄された上記パチンコ玉及びこれらのパチンコ玉から上記研磨布に転移した水分は、上記研磨機本体内で上記温風ノズルから供給される温風により乾燥可能としてある
ことを特徴とするパチンコ玉の揚送研磨装置。
【請求項２】
請求項１において、上記洗浄手段は、上記洗浄ノズルを上記洗浄水槽の上方かつ上記集合樋の上流側に位置するように設けてあり、上記集合樋の上記洗浄水槽上に位置する範囲には複数の水切り孔が配設してある
ことを特徴とするパチンコ玉の揚送研磨装置。
【請求項３】
請求項１において、上記乾燥手段は、上記研磨機本体内の下部に複数の温風ノズル孔を有する温風ノズルが鉛直に設けてあり、各上記温風ノズル孔は、上記無端ベルトの表面と平行する方向に温風を噴射可能に設けてあることを特徴とするパチンコ玉の揚送研磨装置。
【請求項４】
請求項３において、上記温風ノズルは二股状の分岐管からなり、分岐した各温風ノズルは上記無端ベルトの各側部近傍の内側に沿うように設けてあり、各上記温風ノズル孔は外向きに温風を噴射可能に設けてあることを特徴とするパチンコ玉の揚送研磨装置。
【請求項５】
請求項１ないし請求項４のいずれかに記載したパチンコ玉の揚送研磨装置を備え、上記集合樋上を自走中の上記パチンコ玉を上記洗浄手段により洗浄した後に、上記乾燥手段により上記研磨機本体内で上記パチンコ玉の水分を除去するとともに、上記研磨機本体内に位置する上記研磨布を乾燥可能としてあることを特徴とするパチンコ遊技島。
【発明の詳細な説明】
【０００１】
【発明の属する技術分野】
本発明は、揚送研磨装置及びこの揚送研磨装置を含むパチンコ遊技島に関するものである。
【０００２】
【従来の技術】
パチンコ遊技場に設置されている遊技島は、多数のパチンコ遊技機を並設してあるとともに、これらのパチンコ遊技機群に対するパチンコ玉の循環機構を備えている。この循環機構は、各パチンコ遊技機にパチンコ玉を供給する供給樋、各パチンコ遊技機から排出されるアウト玉を受け取り、パチンコ玉の自走により目的の設備へ配送する集合樋、この集合樋から流入するパチンコ玉を研磨しながら揚送する揚送研磨機その他を備えている。上記の循環機構の各要素で中枢部を担うのは、揚送研磨機であるが、これにはいくつかの形式のものがある。この中でも揚送塔に設けられた無端ベルトと、揚送塔に開閉自在に取り付けられた扉を介して装着してある研磨布との間にパチンコ玉を送り込んで、ベルトの回転移動によりパチンコ玉を研磨しながら揚送するいわゆるベルト式揚送研磨機が多く用いられている。
【０００３】
ところで、最近、パチンコ玉の揚送は、無端ベルトの回転移動を利用して行うのであるが、パチンコ玉を洗浄してから洗浄済みパチンコ玉を揚送研磨機に送り込むようにしたいわゆる湿式の揚送研磨機が提案されている。これは集合樋上に設けたスプレーノズルにより玉誘導通路上を移動中のパチンコ玉を洗浄し、吸水ローラーでパチンコ玉の水分をふき取ってから研磨機の揚送通路へ送り出すようにしたものである。
【０００４】
【特許文献１】
特開平１１−１３７８３０号公報（第２―第３頁、図２）
【０００５】
【発明が解決しようとする課題】
これまでのベルト式揚送研磨機は、汚れたアウト玉を直接揚送研磨機に送り込むものであるため、研磨布の負担が大きくなり、研磨布の交換周期が短いため不経済となっていることは否めない。これに対し、上述の湿式の揚送研磨機は、洗浄したパチンコ玉を研磨機内に送り込むようにしてあるため、上記した研磨布の交換周期が短いという問題は生じない。しかしながら、上述の湿式の揚送研磨機は、洗浄手段及び水分をふき取るための設備が複雑化しているため、設備費が高くなっている問題がある。また、ふき取った水分の除去が不完全であるため、使用中にふき取り能力が低下するため、洗浄済みパチンコ玉の水分除去が不完全となるおそれがある。これは、漏れたままのパチンコ玉が揚送され、再び再使用により循環機構を循環するため、パチンコ玉の発錆原因となる他、水分が他の器具に転移し、これらの器具の発錆原因ともなるおそれがある。
【０００６】
そこで本発明の目的は、洗浄手段によりパチンコ玉の研磨を確実に行うとともに乾燥手段により研磨布に転移した水分を完全に除去可能とすること。そしてこれにより湿気を含まないパチンコ玉がパチンコ遊技島内を循環可能とした揚送研磨装置及びこの揚送研磨装置を備えたパチンコ遊技島を提供することにある。
【０００７】
【課題を解決するための手段】
上記の目的を達成するために、本発明は以下の手段を採用することにより以下の作用効果を生じるようにしたところに特徴がある。
【０００８】
（請求項１に記載した発明の構成）
請求項１に記載した発明の揚送研磨装置は、研磨機本体に洗浄手段と、乾燥手段とを備えたものとすることにより、パチンコ玉の研磨機の機能を向上させたものである。上記の研磨機本体は、揚送塔の上下に設けてあるプーリーに掛け回された無端ベルトと、揚送塔に開閉自在に取り付けてある扉の内側に装着された研磨布とを備えたいわゆるベルト式揚送研磨機の範疇に属するものである。このベルト式揚送研磨機に上記の洗浄手段と、上記の乾燥手段とを備え付けることにより本発明の揚送研磨装置を成立させている。
【０００９】
上記の洗浄手段は、研磨機本体の近傍に設けてある洗浄水槽と、この研磨機本体にパチンコ玉を供給する集合樋上を自走中のパチンコ玉に洗浄水を噴射する洗浄ノズルとを備えている。また、上記の乾燥手段は、研磨機本体の近傍に設けてある温風発生機と、研磨機本体内で研磨布に温風を供給可能に設けてある温風ノズルとを備えている。このパチンコ玉の揚送研磨装置は、洗浄手段によって洗浄されたパチンコ玉及びこれらのパチンコ玉から研磨布に転移した水分を、研磨機本体内で温風ノズルから供給される温風により乾燥可能に構成してあるところに特徴がある。
【００１０】
（請求項１に記載した発明の作用効果）
上記構成の採用により、集合樋上を自走中のパチンコ玉が洗浄手段により洗浄されてから研磨機本体内に供給されるようになっているため、研磨布の負担を軽くし、研磨布の交換周期を長くすることが可能となる。また、乾燥手段を備えているので、濡れたパチンコ玉との接触により研磨布に加えられる湿気を除去可能としてあるので、パチンコ玉は完全に乾燥した状態で揚送されるため、パチンコ玉自体の錆の発生及びパチンコ玉との接触によるパチンコ遊技島を構成する諸機器の錆の発生を防止可能となる。
【００１１】
（請求項２に記載した発明の特徴）
請求項２に記載した発明のパチンコ玉の揚送研磨装置は、上記の洗浄手段の構成を限定したものである。すなわち、この洗浄手段は、洗浄ノズルを集合樋の下方の所定位置に設けてある洗浄水槽の上方、かつ洗浄水槽上の集合樋の上流側に位置するように設けてある。また、集合樋の洗浄水槽上に位置する範囲には複数の水切り孔が配設してあるところに特徴がある。この洗浄手段は、洗浄水の噴射によるパチンコ玉の洗浄に、パチンコ玉の転がり移動による摩擦とによる洗浄を加えた機能を有する。また、集合樋に配設してある多数の水切り孔は、集合樋上から洗浄水を排出させるためのものであるが、自走中のパチンコ玉に付着している水分も、これらの水切り孔から落下することにより大部分の水分が除去される。このため、研磨機本体内に供給されたときの研磨布に与える湿気を少なくする効果がある。
【００１２】
（請求項３に記載した発明の特徴）
請求項３に記載した発明のパチンコ玉の揚送研磨装置は、上記の乾燥手段についての構成を限定したものである。すなわち、この乾燥手段は、上記の研磨機本体内の下部に複数の温風ノズル孔を有する温風ノズルが鉛直に設けてあり、各温風ノズル孔は、無端ベルトの表面と平行する方向に温風を噴射可能に設けてあるところに特徴がある。これは、研磨機本体の内部構造に対応するもので、研磨機本体内に設けられた温風ノズルを基準にすると、研磨布は無端ベルトよりも遠くに位置し、パチンコ玉により湿気を含まれる範囲は、ベルトの裏側に隠れてしまうようになっている。そこで、ここでは研磨布と無端ベルトとの隙間を利用して温風を進入させることにより研磨布を乾燥させるようにしたものである。研磨布は下部ほど多くの湿気が含まれるので、温風ノズルをこの範囲を乾燥させるように可能な限度で研磨機保体内の下部に設けてあるほか、温風が上記の隙間から進入して研磨布を乾燥可能とするために、温風ノズル孔の向きを横向きとしたものである。
【００１３】
（請求項４に記載した発明の特徴）
請求項４に記載した発明は、上記ノズルの変形例を特定したものである。すなわち、乾燥手段を構成する温風ノズルは二股状の分岐管からなり、各分岐管は無端ベルトの各側部近傍の内側に沿うように設けることにより、上記の隙間の近傍で温風を噴射するようにしたものである。また、２本の各温風ノズルに設けてある温風ノズル孔の向きを外向きとすることにより、上記の隙間に温風を進入容易としてあるところに特徴がある。
【００１４】
（請求項５に記載した発明の特徴）
請求項５に記載した発明は、パチンコ遊技島に以上の各請求項のいずれかに記載したパチンコ玉の揚送研磨装置を備えたパチンコ遊技島の構成を特定したものである。すなわち、このパチンコ遊技島は、上記の集合樋上を自走中のパチンコ玉を上記の洗浄手段により洗浄した後に、上記の乾燥手段により研磨機本体内でパチンコ玉に付着している水分を除去するとともに、この研磨機本体内に位置する上記の研磨布を乾燥可能としてあるところに特徴がある。この揚送研磨装置は、洗浄手段が集合樋の末端部近傍に設けてあり、また、乾燥手段を構成する温風発生機および送風パイプ等は島内に設けられることになるため、島の構成を在来のパチンコ遊技島とは異なるものとしてある。本発明に係るパチンコ遊技島は、上記の揚送研磨装置を備えることにより、常にきれいかつ乾燥したパチンコ玉を供給可能とする機能を有する。
【００１５】
【発明の実施の形態】
（パチンコ遊技島の構成）
以下、本発明の実施の一形態例について図面を参照して説明する。図１はパチンコ遊技島の構成例を示すものであり、パチンコ遊技島１の中央部に設けてある揚送研磨装置３によって揚送されたパチンコ玉Ｂが上部タンク５に集められ、ここから分配樋７を経て各パチンコ遊技機９，…に供給可能となっている。また、各パチンコ遊技機９から排出されるアウト玉は、集合樋１１上に落下し、この集合樋１１の傾斜面を利用して自走することにより揚送研磨装置３に集められ、研磨しながら揚送することにより再使用に供されるようになっている。
【００１６】
実際のパチンコ遊技島では、分配樋７や集合樋１１の経路上には各種の機器が配備されているが、ここではこれらの機器については図示及び説明を省略してある。また、上部タンク５には、他の分配樋や他の遊技島への応援玉用の樋などが接続されているがこれらについても省略してある。上記の諸設備は、通常のパチンコ遊技島には必須のものとして設けられているが、本発明に係るパチンコ遊技島１は、島の中枢設備である揚送研磨装置３の母体となる研磨機本体１７に、以下の手段を備えたものとしてあるところに特徴がある。その第１は、集合樋１１上を自走中のパチンコ玉Ｂを洗浄するためのパチンコ玉洗浄手段１３であり、その第２は、洗浄により濡れたパチンコ玉から転移した水分で湿気を含んだ後述の研磨布１５を乾かすための研磨布の乾燥手段５１である。
【００１７】
（揚送研磨装置の構成）
図２は、図１に示してある揚送研磨装置３を拡大して示したものであり、図３はその外観を示したものである。図２に示してあるように、揚送研磨装置３は研磨機本体１７に上述のパチンコ玉洗浄手段１３及び乾燥手段５１を備えたものによって構成してある。研磨機本体１７は、支柱となる揚送塔１９の上下に設けてあるプーリー２０，２０に掛け回してある平ベルト状の無端ベルト２１が設けてある。この無端ベルト２１は、張り車２３，…により張力を調整してある他、上昇側（図２左側）は所定間隔に配設してある押圧ローラー２４，…により外方へ押圧されている。なお、この無端ベルト２１は、紙面の反対側に設けてあるモーター２８（図３参照）により、研磨布１５と対向する側が上昇側となっている。
【００１８】
研磨布１５は、研磨機本体１７の外でロール１５ａに巻き付けてあるものを引き出し、揚送塔１９に開閉自在に取り付けてある扉２５の下端部からその内側に引き入れ、それを上端部まで引き延ばし、さらに上端部から外へ引き出すことにより装着してある。この研磨布１５は、扉２５の内側に位置する範囲１５ｂで研磨機能を分担するように装着してある。研磨布１５の下端部側は、扉２５の外面下部に設けてある布固定手段２７により固定してあり、上端部側は扉２５の外面上部に取り付けてある研磨布保持具２９により保持されている。なお、研磨布１５の研磨作用を分担する範囲１５ｂは、上記の研磨布保持具２９により張力を有する状態となっている。
【００１９】
研磨機本体１７の下部には、パチンコ玉Ｂの導入部３１が設けてある。導入部３１の入り口部には、上述の集合樋１１の末端部が接続してあり、この入口部からパチンコ玉Ｂを研磨機本体１７内に供給可能としてある。導入部３１は、供給されたパチンコ玉Ｂを整列させ、玉詰まりを起こさないようにして、下プーリーの周囲に掛け回してある無端ベルトの外面と、円周体３１ａの内側に挟まれて移動可能としてある。導入部３１を通過したパチンコ玉Ｂは、上記の研磨布１５の表面と、無端ベルト２１の表面との間に移動し、この無端ベルト２１の回転移動により、揚送ベース２６（図５，図６参照）のガイド溝に沿って研磨されながら上昇し、研磨布１５の研磨機能を分担する範囲１５ｂの上端部から、研磨機本体１７の頂部に位置する排出部３３に移る。排出部３３に移ったパチンコ玉Ｂは、上部タンク５（図１参照）に移り、再び各パチンコ遊技機に供給可能となっている。
【００２０】
この揚送研磨装置３は、上述の通り、研磨機本体１７にパチンコ玉の洗浄手段１３及び乾燥手段５１を備えたもので構成されている。これらの洗浄手段１３及び乾燥手段５１は、いずれも研磨機本体１７と隣接し、又は研磨機本体１７と一体に設けることにより、最終的にパチンコ玉の研磨作用の効率向上を図るようにしてある。
【００２１】
（パチンコ玉の洗浄手段の構成）
パチンコ玉の洗浄手段１３は、洗浄水槽３５と洗浄水噴射装置３７とにより構成してある。洗浄水槽３５は、研磨機本体１７の近接位置かつ集合樋１１の下方に、所定範囲をカバーするように設けてあり（図４参照）、槽中に洗浄水が入れてある。洗浄水噴射装置３７は、水中ポンプ３９、洗浄水噴射ノズル４１及び両者を結ぶ噴射パイプ４３とからなる。洗浄水噴射ノズル４１は、噴射パイプ４３を分岐してそれらの各先端部に設けることにより、集合樋１１上を自走中のパチンコ玉Ｂに対して洗浄水を充分に吹き付け可能とすることが望ましい。これらの洗浄水噴射ノズル４１，４１は、洗浄水槽３５上の集合樋１１の最上流部に設けるとよい。これは、洗浄されたパチンコ玉Ｂがなるべく洗浄水槽３５上で長い区間を移動することにより、後述の水切り孔を利用して水分を除去するために有効である。
【００２２】
集合樋１１の洗浄水槽３５をまたぐ範囲には、図４に示すように、上述の複数の水切り孔１２，…が網目状に配設してある。水切り孔１２の直径は、パチンコ玉Ｂの直径よりも小さくする必要があるが、ここではパチンコ玉の直径及び目詰まり防止等との関係で５ｍｍ程度を目安としてある。洗浄水の噴射により濡れたパチンコ玉Ｂは、集合樋１１上を転がりながら水分とともに汚れを洗い落とし、水分は水切り孔１２，…から洗浄水槽３５に回収するようになっている。こうして水切りをしながら集合樋１１を自走したパチンコ玉Ｂは、水分を少なくした状態で研磨機本体１７内へ送り込まれるようになっている。洗浄水噴射ノズル４１から噴射された洗浄水は、上記の水切り孔１２，…から洗浄水槽３５上へ落下するものと、集合樋１１に入らずにそのまま直接洗浄水槽３５へ入るものとがあるが、これらの噴射された洗浄水はいずれも洗浄水槽３５に回収され、水中ポンプ３９に付属する浄化装置（図示略）を通って循環することにより再使用に供されるようになっている。
【００２３】
（乾燥手段の構成）
乾燥手段５１は、温風発生機５３、温風ノズル５５及び送風パイプ５７を主要素として構成してある。温風発生機５３は、パチンコ玉の洗浄手段１３の収納ボックス１７ｂ上に載置してあり、ヒーターとファン（いずれも図示略）とを備えたものを採用してある。また、送風パイプ５７は、温風発生機５３の側部から研磨機本体１７の側部を経てその内部へ進入し、無端ベルト２１の裏面近傍で吊り下げ状態に設けてある温風ノズル５５に接続してある。温風ノズル５５は、研磨機本体１７の構造上、無端ベルト２１の裏面近傍に設けることが適しており、無端ベルト２１の表面と研磨布１５の表面との間にできている隙間Ｃから研磨布１５への温風供給を可能としてある（図５，図６参照）。
【００２４】
図５は、温風ノズル５５から放出された温風を上記の隙間Ｃに進入しやすくするために採用した温風ノズルの構造及び設置状態を示している。この温風ノズル５５は、ノズル管５５ａに対称的かつ無端ベルト２１の裏面と平行する向きに温風ノズル孔５５ｂ，…を設けることにより、温風が上記の隙間Ｃを通って研磨布１５に対する乾燥効率が高くなるようにしてある。
【００２５】
図６は、温風ノズルを二股状とし、温風が上記の隙間Ｃを通って研磨布１５の乾燥効率が高くなるようにしたものを示している。すなわち、温風ノズル６５を二股状とし、これを無端ベルト２１の裏面に平行するように設けたものである。各パイプ６５ａ，６５ａに設けられた温風ノズル孔６５ｂ，…は、それぞれ外向きかつ水平向きに設けることにより、ここから噴射される温風が無端ベルト２１の裏面と研磨布１５との間の隙間Ｃから進入しやすくしてある。
【００２６】
（揚送研磨装置の動作）
次に、上記の揚送研磨装置３の動作について説明する。図１、図２において、集合樋１１上を自走中のパチンコ玉Ｂは、まず、パチンコ玉洗浄手段１３により洗浄水を吹き付けられ、かつ転がり移動しながら洗浄される。パチンコ玉Ｂの転がり移動中には、集中樋１１の水切り孔１２，…から大部分の洗浄水が落下するため、パチンコ玉Ｂに付着した水分は少なくなっている。これらの洗浄されたパチンコ玉は、研磨機本体１７中に送り込まれ、研磨布１５と無端ベルト２１とにより研磨されながら揚送される。これらのパチンコ玉Ｂは既に洗浄されているため、研磨布１５の負担を軽減する。研磨布１５の下部の範囲は、洗浄済みパチンコ玉に残留する水分により湿気を含んだものとなるが、乾燥手段５１により乾燥するようになっているため、この研磨布１５と接触しながら移動するパチンコ玉Ｂは完全に乾燥状態で再使用可能となっている。
【００２７】
以上の説明においては、研磨機本体の構成例として図示のようなベルト式揚送研磨機を採用してあるが、本発明はこれに限定する趣旨ではなく、広くベルト式の揚送研磨装置全般に適用可能である。また、温風発生機や水中ポンプ等の図示を簡略化してあるが、これらはいずれも市販品を採用可能であり、型式や形状に拘わるものではない。
【００２８】
【発明の効果】
本発明よれば、洗浄手段によりパチンコ玉の汚れを洗い落とした後にパチンコ玉を研磨機本体で研磨しながら揚送するようになっているので研磨布の負担を軽くしているほか、乾燥手段により洗浄の際に濡れたパチンコ玉の乾燥が行われるため、再使用に供されるパチンコ玉やこれらと接する機器の錆びを防止することが可能となる。
【図面の簡単な説明】
【図１】一形態例としての島の構成を示す説明図である。
【図２】一形態例としての揚送研磨装置の構成を示す断面図である。
【図３】同じく揚送研磨装置の外観を示す斜視図である。
【図４】洗浄水槽、洗浄ノズル及び集合樋との関係を示す詳細図であり、（ａ）は正面の断面図、（ｂ）は平面図である。
【図５】温風ノズルの設置状態の第１例を示す説明図であり、（ａ）は正面の拡大断面図、（ｂ）は拡大断面図である。
【図６】温風ノズルの設置状態の第２例を示す説明図であり、（ａ）は正面の断面図、（ｂ）は拡大断面図である。
【符号の説明】
１                  パチンコ遊技島
３                  揚送研磨装置
９                  パチンコ遊技機
１１                集合樋
１２                水切り孔
１３                洗浄手段
１５                研磨布
１７                研磨機本体
１９                揚送塔
２０                プーリー
２１                無端ベルト
２５                扉
３５                洗浄水槽
４１                洗浄ノズル
５１                乾燥手段
５３                温風発生機
５５、６５          温風ノズル
５５ｂ、６５ｂ      温風ノズル孔
【図１】
2004194769.tif 000003
【図２】
2004194769.tif 000004
【図３】
2004194769.tif 000005
【図４】
2004194769.tif 000006
【図５】
2004194769.tif 000007
【図６】
2004194769.tif 000008